(57)【要約】【課題】遊技客の好みに応じて当り玉をホッパに貯留可能とするとともに、必要時には直ちに計数も行えるようにした貯留玉受皿を提供する。【解決手段】パチンコ台の下部に下皿から排出される玉を受けるホッパ２を配置し、玉の通過を検知するセンサを備えた計数通路ユニット３の一端をホッパに接続し、他端を台間ユニット８５に接続する。ホッパは、ケース５の内側に棚部１６を挟んでガイド部１０と貯留部２０とが区画され、貯留部には、一端を支点と他端が昇降する可動プレート３０が設けられる。可動プレートが降下位置では可動プレート上に玉が貯留され、可動プレートの上面の高さが棚部上面の高さ以上となる上昇位置では、可動プレート上の玉が棚部を経てガイド部へ移動し、ガイド部から計数通路ユニットへ送られる。【選択図】図２
2009045223.tif 000002
【特許請求の範囲】
【請求項１】
パチンコ台の下皿の下方にホッパを設け、下皿から排出される玉をホッパで受けて通路ユニットへ移送するようにした貯留玉受皿において、
前記ホッパは、前記通路ユニットに連通するガイド部と、下皿から排出される玉を受ける貯留部とを有し、
貯留部には、前記下皿から排出される玉を貯留する貯留位置と、玉を貯留しない非貯留位置とに昇降する可動プレートを備えていることを特徴とする貯留玉受皿。
【請求項２】
前記可動プレートは、一端を支点と他端が昇降することを特徴とする請求項１に記載の貯留玉受皿。
【請求項３】
前記可動プレートは、付勢力に抗して玉の重量にて降下することを特徴とする請求項１または２に記載の貯留玉受皿。
【請求項４】
前記可動プレートには、当該可動プレートの降下を規制するロック手段が設けられていることを特徴とする請求項１から３のいずれか１に記載の貯留玉受皿。
【発明の詳細な説明】
【技術分野】
【０００１】
本発明は、パチンコ台の下皿に排出された当り玉を一時貯留する貯留玉受皿に関する。
【背景技術】
【０００２】
従来、パチンコ店では計数機を店内要所に配置し、遊技客が獲得した当り玉を箱で計数機へ運んで計数させるようにしていたが、近時、個別のパチンコ台ごとに玉計数機を設置する提案がなされている。これは、パチンコ台の下皿に貯留された当り玉を一旦ホッパに受けて、センサ部へ転送するものである。
例えば、特許第３５７７８５０号公報に提案されたものは、下皿の下方にホッパを設け、台間ユニットとホッパ間をセンサを設置した計数通路ユニットで接続している。下皿に設けられたシャッタを開くことにより下皿からホッパへ排出された当り玉は、計数通路ユニットへ案内されて内部のセンサで計数されたあと、台間ユニットを経てパチンコ台の内部機構へ戻される。
【０００３】
これにより、遊技客は当り玉をパチンコ台から離れた計数機まで運ばなくても、遊技場所のパチンコ台前に居たままで計数を受けることができる。計数結果は例えば預かり玉として表示されたり、台間ユニットに差し込まれた顧客カードに記録される。
また、ホッパは浅い皿形状をしているので、計数通路で玉詰まりや故障が生じたときには、限定された量ではあるが当り玉を一時的に貯留することができる。
【特許文献１】特許３５７７８５０号公報
【発明の開示】
【発明が解決しようとする課題】
【０００４】
ところで、遊技客のなかには獲得した当り玉を誇示したいという欲求をもつ者も多いが、当り玉を箱に移して計数機まで運ぶシステムの場合には、当り玉で埋まった箱を足元に積み上げて誇示することができた。
しかし、上記従来のホッパでは玉計数機に玉詰まりや故障が生じたときに浅いホッパに一時的に貯留されることはあるが、通常は下皿から排出された当り玉は直ちに係数通路ユニットへ導かれて係数され、ホッパに貯留されることはない。
このため、遊技客まわりにある当り玉はパチンコ台の比較的浅い上皿および下皿に貯留されるわずかな量しかなく、獲得した当り玉を誇示したいという欲求をもつ遊技客にとっては十分な満足を得る機会が与えられないという問題が生じる。
【０００５】
したがって本発明は、上記の問題にかんがみ、遊技客の好みに応じて相当量の当り玉（以下、単に玉とも言う）を貯留可能とするとともに、必要時には直ちに計数通路ユニット等へ排出できるようにした貯留玉受皿を提供することを目的とする。
【課題を解決するための手段】
【０００６】
このため、本発明にかかる貯留玉受皿は、ホッパが、通路ユニットに連通するガイド部と、下皿から排出される玉を受ける貯留部とを有し、貯留部には、当該貯留部に玉を貯留する貯留位置と、玉をガイド部へ移動する非貯留位置に昇降する可動プレートを備えているものとした。
【０００７】
貯留部の可動プレートは、一端を支点と他端が昇降することによって、可動プレートを貯留位置として降下位置と非貯留位置として上昇位置の間を昇降とする。  また、可動プレートは、付勢力に抗して玉の重量にて降下するのが好ましい。
さらに可動プレートを、上記非貯留位置において当該非貯留位置を保持（降下を規制）するロック手段を有することが望ましい。
【発明の効果】
【０００８】
本発明によれば、貯留部に昇降する可動プレートを備えたものであるから、可動プレートを貯留位置とすることにより下皿に加えてホッパの貯留部にも相当量の玉を貯留して、当り玉を誇示したいという欲求を満足させることができるとともに、必要に応じて当り玉を計数したいときなどには、可動プレートを非貯留位置とすることにより速やかに貯留部内の玉をガイド部から通路ユニットへ送り込むことができる。
【０００９】
また、可動プレートは、一端を支点とし他端が昇降する構造はシンプルで、且つ、玉の重量が加わってあっても玉を貯留しない非貯留位置に上昇させる力は、僅かで済む。
さらに、可動プレートを付勢力に抗して玉の重量にて降下することにより容易に貯留部の要量を大きく変化させることができ、可動プレートを降下位置にしたときにとくに多量の玉を貯留することができる。
さらにまた、非貯留位置を保持（降下を規制）するロック手段を有する場合には、玉を通路ユニットへ送り込む間でも、遊技客が非貯留位置の保持操作を続ける必要から解放される。
【発明を実施するための最良の形態】
【００１０】
次に、本発明の実施の形態について説明する。
図１は実施の形態にかかる貯留玉受皿が取り付けられたパチンコ台を示す図。
図２はそのパチンコ台貯留玉受皿部分を拡大して示す外観斜視図である。
パチンコ台８０は前面下部に上皿８１とその下に下皿８２を備えている。
貯留玉受皿１は、パチンコ台の前面において下皿８２の下方に配置され、下皿８２から排出される玉を受けるホッパ２を備えて、内部に不図示のセンサを備える計数通路ユニット３を介して台間ユニット８５に接続されている。ホッパ２と計数通路ユニット３とでパチンコ台玉計数機が構成されている。
【００１１】
ホッパ２は、ケース５の全周を囲む側壁６の内側に、パチンコ台８０前面に沿って左右方向に延びるガイド部１０と、その手前側に同様に左右に延びる貯留部２０とが区画され、ガイド部１０と貯留部２０との間には上面が水平の棚部１６が設けられている。
ホッパ２の左右方向一端（図では左端）において、ガイド部１０と棚部１６は貯留部２０よりも短くオフセットしており、このオフセット部分における貯留部２０とパチンコ台８０との間のスペースに、計数通路ユニット３が配置されている。
【００１２】
ホッパ２のガイド部１０は、その全長にわたって図中右端から左端に向けて低くなるように傾斜した複数本のレール１２を備え、ガイド部１０の左端の側壁には計数通路ユニット３の内部通路と連通する開口１４が設けられている。レール１２の上端の高さは右端において棚部１６の上面と同レベルがわずかに低く設定されている。
本実施の形態ではレール１２は３本で、各レール１２の間隔は玉の径よりも少さく設定され、玉はいずれか２本のレール上を左端へ向かって転動するようになっており、２組の転動路が形成されていることになる。
なお、２組の転動路に対応して、計数通路ユニット３内も２組の図示しない玉通路が設けられ、各玉通路に玉の通過を検知するセンサが設置されている。
【００１３】
ホッパ２の貯留部２０は、可動プレート３０を備える。可動プレート３０は後掲の図３に示すように、上面が棚部１６側へ向かって低くなるように傾斜している。そして、可動プレート３０を、図２に示すように棚部１６の上面よりも低い状態とした降下位置と、図３に示すように可動プレート３０上面の棚部１６側の縁が棚部１６の上面と同じ高さあるいはわずかに高くした上昇位置との間で上下昇降可能としている。
【００１４】
以下、貯留部２０における可動プレート３０の上下昇降について詳細に説明する。
図４及び図５は、貯留部２０の長手方向の断面を示す縦断面図である。
ホッパ２のケース５は樹脂製で、上下２分割された上ケース体４０と下ケース体４５を結合して形成されている。上ケース体４０は下ケース体４５とともに側壁６を形成しているが、上ケース体４０はその上縁から折り返して側壁の内壁６aを形成している。
ケース５の内壁６aの上縁から所定範囲には、玉との衝突音を防止するためのラバープレート７が全周にわたって取り付けられている。また、可動プレート３０の上面にも同様にラバープレート７が取り付けられている。
【００１５】
また、上ケース体４０の側壁６（図では左側壁）には、後述する可動プレート３０の降下を規制するロック手段が設けられている。
図６及び図７を参照して、ロック手段は、以下のように構成されている。
上面に操作部５１を、下面に係止片５２を備えるロック片５０を、側壁６より張出した縁側６ｂに前後に摺動自在に支持されている。
【００１６】
係止片５２は、後述する可動プレート３０を、玉を貯留する貯留位置、若しくは玉を貯留しない非貯留位置に操作する操作片３４に対し、その非貯留位置にあって係合することにより降下を規制する。
なお、ロック片５０は、図示しない例えばスプリングによって、可動プレート３０が上昇位置にある、即ち、降下規制位置方向に付勢されている。
【００１７】
次に、可動プレート３０及び昇降機構について詳細に説明する。
図８は、貯留玉受皿１の構成を示す分解斜視図である。
可動プレート３０は樹脂製で、その一端（図では右端）には、他端が昇降する支点（ヒンジ）をなす嵌合部３２が一体に形成されている。当該嵌合部３２は、上ケース体４０の可動プレート３０の平面形状に整合する開口部４１の一端（図では右側）に形成された突起４２と回転自在に嵌合する。
また、可動プレート３０の他端（図では右端）には、ケース５を貫通して、その先端に操作片３４が設けられている。
【００１８】
さらに、可動プレート３０の下方には、受ケース４３を有している。
受ケース４３は、玉を貯留する略３辺の側壁４３ａと、可動プレート３０が玉貯留位置の際に、当該可動プレート３０を受ける傾斜した底壁４３ｂとから構成されている。
さらにまた、操作片３４側にあって、可動プレート３０と受ケース４３との間には、当該可動プレート３４を上昇位置に付勢するスプリング４４が設けられている。
【００１９】
下ケース体４５は、レール１２を含むガイド部１０が下ケース体４５に一体成型されている。
【００２０】
上ケース体４０、受ケース４３及び下ケース体４５の図では左側壁６には、可動プレート３０が昇降するスライド溝６１が設けられている。
【００２１】
以上のように構成された貯留玉受皿１では、自由状態では、可動プレート３０の自重および可動プレート３０上に貯留される玉の重量により、図５に示すように、可動プレート３０の他端が降下位置にある。
このとき、可動プレート３０は、受ケース４３の底壁４３ｂに当接して、降下位置を規制している。
また、可動プレート３０に結合された操作片３４は、先の図７に示されるように、そのストロークの下端位置にある。
この降下位置において、貯留部２０では棚部１６の上面を若干越える高さまで可動プレート３０上に玉を貯留することができる。
【００２２】
つぎに、棚部１６の上面を越える高さまで玉が貯留されていない状態でも、操作片３４を上方へ手でスライドさせ、可動プレート３０を持ち上げると、棚部１６を越えた高さに積みあがった可動プレート３０上の玉は棚部１６を経てガイド部１０のレール１２上へ転がり落ち、計数通路ユニット３へ排出される。操作片３４を上方へスライドさせる量あるいはスライド位置を保持する時間によって、計数通路ユニット３へ排出される玉量を任意に調整することができる。
【００２３】
さらに、図６のように、操作片３４を上方のストローク端までスライドさせると、当該操作片３４が係止片５２にキャッチされて可動プレート３０が上昇位置にロックされる。
この上昇位置では、可動プレート３０の上面が棚部１６の上面と面一または棚部上面より高くなっているので、下皿から貯留部２０、すなわち可動プレート３０上に排出される玉はすべて可動プレート３０上に止まることなく、傾斜した上面を転がって棚部１６からガイド部１０へ移送され、計数通路ユニット３で計数される。
【００２４】
なお、ロック片５０を前方のストローク端までスライドすることにより可動プレート３０のロックが解除され、可動プレート３０は降下方向に降下する。
可動プレート３０の上昇、下降の際、可動プレート３０のガイド軸３０ａが側壁６に形成されたスライド溝６１にそってスライドするので、可動プレート３０は異常な姿勢をとることなく、滑らかに上下する。
【００２５】
本実施の形態では、その上昇位置が非貯留位置に、降下位置が貯留位置に該当する。
また、計数通路ユニット３が通路ユニットに該当する。
【００２６】
実施の形態は以上のように構成され、ホッパ２が計数通路ユニット３に連通するガイド部１０と、下皿から排出される玉を受ける貯留部２０とを有し、貯留部２０の可動プレート３０の操作片３４が、当該貯留部を、玉を貯留する降下位置と玉をガイド部１０へ移動する非貯留の上昇位置との間で上下昇降可能になしたものとした。
これにより可動プレート３０を降下位置にしたときには下皿に加えてホッパ２の貯留部にも相当量の玉を貯留して、当り玉を誇示したいという欲求を満足させることができる。
また、可動プレート３０の昇降を、一端を支点と他端が昇降する構成としたことにより、玉は斜めに滑落して貯留されるため、落下による騒音と比較して静かである。
【００２７】
一方、必要に応じて当り玉を計数したいときには、可動プレート３０を上昇位置とすることにより速やかに貯留部内の玉をガイド部１０へ移動させて計数通路ユニット３へ送ることができる。
なお、計数通路ユニット３側に玉詰まりや故障が生じたときにも、可動プレート３０を降下位置にすることにより貯留容量を大きくできるから、従来のホッパの容量が少なくて直ぐ満杯になり、下皿から排出不可となって当り玉の下皿への排出も止まってしまうというような状況も回避される。
【００２８】
また、ケース５を貫通して、可動プレート３０の先端に操作片３４を設けたことにより、パチンコ台の前面側方から操作可能となっているので、稼動プレート３０の上下昇降操作が容易である。
【００２９】
また、可動プレート３０の上昇位置を保持するロック手段を設けたことにより、当り玉を計数したいときに何時までも手で操作片３４に力を加えて（保持）おく必要がなく、遊技客を操作労力から解放できる。
【００３０】
上ケース体４０、受ケース４３、下ケース体４５の側壁６のスライド溝６１による可動プレート３０のガイド軸３０ａの案内と相俟って、可動プレート３０の作動がとくに滑らかである。
また、可動プレート３０の上面は棚部１６側へ下るように傾斜しているので、可動プレート３０を上昇位置としたときには、他に特段の操作をしなくても、可動プレート３０上の玉のすべてをガイド部１０へ移すことができる。
【００３１】
なお、実施の形態ではホッパ２内の貯留部２０の可動プレート３０のみを上下させて非貯留位置あるいは貯留位置に移動させるものとしたが、本発明はこれに限定されない。
例えば棚部１６を廃して貯留部２０とガイド部１０を一体に上下させ、上昇位置においてガイド部１０の開口１４が計数通路ユニット３の内部通路に連通するように構成するなど、その他適宜に変形可能である。
【図面の簡単な説明】
【００３２】
【図１】実施の形態にかかる貯留玉受皿が取付けられたパチンコ台を示す図である。
【図２】実施の形態にかかる貯留玉受皿部の可動プレートが降下位置にある外観斜視図である。
【図３】実施の形態にかかる貯留玉受皿部の可動プレートが上昇位置にある外観斜視図である。
【図４】可動プレートが降下位置にある貯留部の構成を示す縦断面図である。
【図５】可動プレートが上昇位置にある貯留部の構成を示す縦断面図である。
【図６】可動プレートが上昇位置にあるロック手段を示す貯留部の側面図である。
【図７】可動プレートが降下位置にあるロック手段を示す貯留部の側面図である。
【図８】実施の形態にかかる貯留玉受皿を示す分解斜視図である。
【符号の説明】
【００３３】
１      貯留玉受皿
２      ホッパ
３      計数通路ユニット
５      ケース
６      側壁
６ａ    内壁
６ｂ    縁側
７      ラバープレート
１０    ガイド部
１２    レール
１４    開口
１６    棚部
２０    貯留部
３０    可動プレート
３０ａ  ガイド軸
３２    嵌合部
３４    操作片
４０    上ケース体
４３    受ケース
４５    下ケース体
５０    ロック片（ロック手段）
８２    下皿
８５    台間ユニット
【図１】
2009045223.tif 000003
【図２】
2009045223.tif 000004
【図３】
2009045223.tif 000005
【図４】
2009045223.tif 000006
【図５】
2009045223.tif 000007
【図６】
2009045223.tif 000008
【図７】
2009045223.tif 000009
【図８】
2009045223.tif 000010